(57)【特許請求の範囲】
【請求項１】
建物の内壁を形成する３枚の内壁パネルを端部で連結すると共に、固定部材を介して２本の柱材に固定する内壁パネルの取付方法であって、
両側部の内壁パネルの一枠材の側面にそれぞれ前記固定部材の一端を取り付けると共に、各固定部材の他端を対応する柱材の前記各内壁パネルの面材と直交する当接面に摺動自在に当接させておき、
両側部の内壁パネルの間に繋ぎ用の内壁パネルを取付け、
３枚の内壁パネルの面材が段差なく接合された後に、前記両固定部材を柱材の当接面に位置決めして固定することを特徴とする内壁パネルの取付方法。
【請求項２】
建物の内壁を形成する内壁パネルを、間隔を有して設けられた２つの枠材と、固定部材とを介して２本の柱材に固定する内壁パネルの取付方法であって、
各枠材の側面にそれぞれ前記固定部材の一端を取り付けると共に、各固定部材の他端を対応する柱材の前記各内壁パネルの面材と直交する当接面に摺動自在に当接させておき、
中間の枠材を省略して両枠材の間に一枚物の面材を後貼りし、
内壁面を平滑に設定した後に、前記両固定部材を柱材の当接面に位置決めして固定することを特徴とする内壁パネルの取付方法。
【請求項３】
建物の内壁を形成する内壁パネルを、固定部材を介して断面略コ字状の間柱に保持させる内壁パネルの取付方法であって、
前記間柱のコ字状内面に、断面略矩形体とした前記固定部材を前後に移動可能に挿入保持しておき、
隣接する内壁パネル同士の端部枠材と、前記固定部材の一面とを押し付けた状態で固定することにより、固定部材を前記間柱に直接固定せずに保持させるようにすることを特徴とする内壁パネルの取付方法。
【請求項４】
請求項１乃至３のいずれか１項記載の内壁パネルの取付方法が用いられていることを特徴とするユニット建物。
【発明の詳細な説明】
【０００１】
【発明の属する技術分野】
本発明は、内壁パネルの取付方法とユニット建物に関する。
【０００２】
【従来の技術】
従来、建物の外壁の裏面に内壁を設置する内壁パネルの取付方法として、特開平１−２４９３８号公報に記載がある。
上記公報では、家屋骨組にパネル受け部材を固定し、このパネル受け部材の室内側に内壁パネルを取り付けるようにした内壁パネルの取付け方法において、始めに上記パネル受け部材を室内方向及び室内方向の少なくともいずれか一方方向へ水平移動自在に家屋骨組に取付け、次に各パネル受け部材の室内側全面が面一になるように各パネル受け部材を水平移動させて位置調整を行った後、各パネル受け部材を家屋骨組に固定し、これらパネル受け部材の室内側に内壁パネルを固定するようにして、内壁パネルを歪めることなく、正しい姿勢に取り付けることができるようになされている。
【０００３】
上記のような内壁パネルの取付け方法では、内壁の剛性は外壁を固定するスタッドの剛性により確保できるので、内壁に充分な剛性を与える必要がなく、内壁を安価に設置できる。また隣接する内壁パネルを同じスタッドに固定できるので段差が発生しにくい。
【０００４】
又、―内壁パネルを自立させる事で外壁の組み立て精度の影響を排除する事も考えられるが、そのためには、内壁自身に隣接するパネル間を結合し、段差を発生させない機能が必要となる。
【０００５】
間仕切りパネルを併設して間仕切壁を形成する際、間仕切パネル間に段差や誤差の生じることのない建物の間仕切り壁として、特開平１１−２００５３９号公報に記載されている。
【０００６】
上記公報では、建物の内部空間を仕切るための間仕切りパネルを複数連結することにより形成された間仕切壁であって、前記間仕切パネル同士は、その側縁近傍に設けられた連結片と、この連結片同士を連結するためのファスナとにより連結され、前記連結片は、隣接する他の間仕切パネルと対応する位置に設けられると共に、先端が裏側へ延びるものであり、前記ファスナは、互いに交差する方向に延びる一対の傾斜面が設けられた係合部と、この係合部と螺合するとともに一端が拡径されたヘッドとなった螺子軸とを備えて、ファスナと螺子部の締め付けにより、ヘッドと係合部との間に連結片が挟まれるので段差や隙間が生じないように連結することができるようになされている。
【０００７】
ユニット建物において、外壁、内壁、間仕切り壁等は各建物ユニット毎に分割された状態で工場生産され、建築現場で組み合わされる。そのため、建築現場でのユニット建物同士の位置決め誤差による内壁パネル壁同士に面段差が生じることがある。
【０００８】
上記のような内壁パネル間の段差の修正で、従来は、特に内壁パネルを一度外し、面材を削るなどして内壁パネルの段差を調整し、再び取り付けたり、段差部にパテを厚く盛ってなだらかに修正したりしていた。
【０００９】
又、特開平５−１６３８２８号公報の記載のように、現場で建て込む内壁パネルの繋ぎ部の壁の幅を大きくして、段差をなだらかにして壁面を面一にして繋ぐといった方法もとられている。
【００１０】
特開平５−１６３８２８号公報の記載では、角部の柱が相互に隣接するように併設された住宅ユニットの繋ぎ部に設置されるユニット繋ぎ部用内壁パネルにおいて、前記隣接された２つの柱の幅全体よりもさらに両側に所定長さ伸長した幅を有し、住宅ユニット内側から前記両柱部を覆うようにして、やや位置ずれして併設された住宅ユニットの繋ぎ部の内壁パネルの傾きをより目立たないものその内壁パネルの固着作業の簡略化並びに固着用部材の減少を達成するようになされている。
【００１１】
【発明が解決しようとする課題】
特開平１−２４９３８号公報のような内壁パネルの取付け方法では、反面、スタッドの組み立て精度が内壁面の面精度に影響してしまい、外観品質上の問題が生じることがある。上記のような取付け方法では、内壁パネルを取り付ける部分の全ての位置を調整することで精度の問題を解決しているが、その調整に多くの工数を必要とするため、工場のラインで生産するには不向きとなっている。
【００１２】
又、特開平１１−２００５３９号公報では、内壁パネル端部にファスナとかみ合うための形状が必要となり、又、内壁パネル表面にファスナを埋め込むための加工も必要となる。更に、隣接する内壁パネルを結合するために、ファスナのねじを締めつけるので、工数が掛かるといった問題があった。
【００１３】
又、特開平５−１６３８２８号公報では、内壁パネルの繋ぎ部の段差の修正方法では、きれいに仕上げるのに手間が掛かり、コストや工期の点で問題があった。
【００１４】
本発明は、上記のこのような問題点に着眼してなされたものであり、その目的は、内壁パネル間の段差を容易に修正でき、壁面を面一にできる内壁パネルの取付構造を提供するものである。
【００１５】
【課題を解決するための手段】
請求項１記載の本発明の内壁パネルの取付方法は、建物の内壁を形成する３枚の内壁パネルを端部で連結すると共に、固定部材を介して２本の柱材に固定する内壁パネルの取付方法であって、両側部の内壁パネルの一枠材の側面にそれぞれ前記固定部材の一端を取り付けると共に、各固定部材の他端を対応する柱材の前記各内壁パネルの面材と直交する当接面に摺動自在に当接させておき、両側部の内壁パネルの間に繋ぎ用の内壁パネルを取付け、３枚の内壁パネルの面材が段差なく接合された後に、前記両固定部材を柱材の当接面に位置決めして固定するものである。
また、請求項２記載の本発明の内壁パネルの取付方法は、建物の内壁を形成する内壁パネルを、間隔を有して設けられた２つの枠材と、固定部材とを介して２本の柱材に固定する内壁パネルの取付方法であって、各枠材の側面にそれぞれ前記固定部材の一端を取り付けると共に、各固定部材の他端を対応する柱材の前記各内壁パネルの面材と直交する当接面に摺動自在に当接させておき、中間の枠材を省略して両枠材の間に一枚物の面材を後貼りし、内壁面を平滑に設定した後に、前記両固定部材を柱材の当接面に位置決めして固定するものである。
【００１６】
請求項３記載の本発明の内壁パネルの取付方法は、建物の内壁を形成する内壁パネルを、固定部材を介して断面略コ字状の間柱に保持させる内壁パネルの取付方法であって、前記間柱のコ字状内面に、断面略矩形体とした前記固定部材を前後に移動可能に挿入保持しておき、隣接する内壁パネル同士の端部枠材と、前記固定部材の一面とを押し付けた状態で固定することにより、固定部材を前記間柱に直接固定せずに保持させるようにするものである。
【００１７】
請求項４記載の本発明のユニット建物は、請求項１乃至３のいずれか１項記載の内壁パネルの取付方法がユニット建物に用いられているものである。
【００１８】
【作用】
請求項１記載の本発明の内壁パネルの取付方法は、建物の内壁を形成する３枚の内壁パネルを端部で連結すると共に、固定部材を介して２本の柱材に固定する内壁パネルの取付方法であって、両側部の内壁パネルの一枠材の側面にそれぞれ前記固定部材の一端を取り付けると共に、各固定部材の他端を対応する柱材の前記各内壁パネルの面材と直交する当
接面に摺動自在に当接させておき、両側部の内壁パネルの間に繋ぎ用の内壁パネルを取付け、３枚の内壁パネルの面材が段差なく接合された後に、前記両固定部材を柱材の当接面に位置決めして固定するようにしているので、柱材間に段差が生じても柱材間の段差を簡単に吸収し、綺麗に仕上げることが可能である。又、固定部材に耐熱性の材料を用いた場合には、柱材間の耐熱性能を向上させることもできる。
また、請求項２記載の本発明の内壁パネルの取付方法は、建物の内壁を形成する内壁パネルを、間隔を有して設けられた２つの枠材と、固定部材とを介して２本の柱材に固定する内壁パネルの取付方法であって、各枠材の側面にそれぞれ前記固定部材の一端を取り付けると共に、各固定部材の他端を対応する柱材の前記各内壁パネルの面材と直交する当接面に摺動自在に当接させておき、中間の枠材を省略して両枠材の間に一枚物の面材を後貼りし、内壁面を平滑に設定した後に、前記両固定部材を柱材の当接面に位置決めして固定するようにしているので、柱材間に段差が生じても柱材間の段差を簡単に吸収し、綺麗に仕上げることが可能である。又、固定部材に耐熱性の材料を用いた場合には、柱材間の耐熱性能を向上させることもできる。
【００１９】
請求項３記載の本発明の内壁パネルの取付方法は、建物の内壁を形成する内壁パネルを、固定部材を介して断面略コ字状の間柱に保持させる内壁パネルの取付方法であって、前記間柱のコ字状内面に、断面略矩形体とした前記固定部材を前後に移動可能に挿入保持しておき、隣接する内壁パネル同士の端部枠材と、前記固定部材の一面とを押し付けた状態で固定することにより、固定部材を前記間柱に直接固定せずに保持させるようにしているので、内壁パネルは間柱の建て付け精度の影響を受けず、内壁パネル間に段差のない取付けとすることができる。更に、内壁パネルに特別の加工を施すことなく、素早く組み立てることができる。
【００２０】
請求項４記載の本発明のユニット建物は、請求項１乃至３のいずれか１項記載の内壁パネルの取付方法が用いられているので、面精度のよい内壁パネルを有するユニット建物を得ることができる。
【００２１】
【発明の実施の形態】
以下に本発明の実施の形態を図面を参照して説明する。
図１及び図２は本発明の請求項１及び２に係る固定部材を用いて柱材間への内壁パネルの取付方法を示す実施例の断面図である。
【００２２】
図１に示すように、本発明の内壁パネルの取付方法は、建物の内壁を形成する３枚の内壁パネル２０、２１、２２が端部で連結され、固定部材１０、１０を介して柱材３０、３１に固定されるようになされている。
【００２３】
前記固定部材１０は内壁パネル２１、２２の一枠材２１１、２２１の側面に前記固定部材１０の一端が取り付けられている。固定部材１０の他端は内壁パネル２１、２０、２２の面材２１２、２０１、２２２と直交する柱材３０、３１の当接面３０１、３１１に当接して、前記固定部材１０、１０が柱材３０、３１の当接面３０１、３１１に摺動自在に取付られている。
【００２４】
内壁パネル２１、２０、２２は、木質用構造材からなる枠材２１１、２０３、２０２、２２１等で矩形に枠組みされ、枠材２１１、２０３、２０２、２２１の一外面に面材２１２、２０１、２２２を貼着して形成されている。
【００２５】
面材２１２、２０１、２２２は、石膏ボード若しくは合板から形成されている。内壁パネル２１と内壁パネル２２とは予め建てられている。そのため柱材３０、３１間には間隔が設けられ、内壁パネル２１と内壁パネル２２との間に繋ぎ用の内壁パネル２０が現地で
取り付けられている。
【００２６】
内壁パネル２１、２０、２２とは枠材２１１、２０３、２０２、２２１を固定釘４６で連結されて内壁面は形成されている。内壁パネル２１、２０、２２の面材２１２、２０１、２２２の繋ぎ目は、建て付け終了後に石膏パテを充填して段差のないよう平滑にされ、表面はクロス仕上げされる。
【００２７】
角柱の鋼管からなる柱材３０、３１は間隔をおいて設置されている。柱材３０、３１の内壁パネル２０に対向する外面３０２と３１２とは設置誤差によっては段差が生じる場合がある。
【００２８】
固定部材１０は、合板等の板材で形成され、内壁パネル２１、２０、２２と建物の柱材３０、３１とを連結固定するように、内壁パネル２１、２２の端部枠材２１１、２２１の側面に、固定部材１０の一端を固定釘４６で取り付けられている。
【００２９】
又、固定部材１０は珪酸カルシュウム板等の耐熱性の材料で形成することもできる。耐熱性の固定部材を用いることにより柱材３０、３１を耐火被覆することができる。
【００３０】
固定部材１０の他端は、柱材３０、３１の当接面３０１、３１１に摺動自在に当接している。柱材３０、３１の当接面３０１、３１１は、内壁パネル２１、２０、２２の面材２１２、２０１、２２２とは直交する位置に置かれている。そのため、固定部材１０、１０は面材２１２、２０１、２２２と直交する方向に摺動できるようにして当接面３０１、３１１に当接している。
【００３１】
固定部材１０、１０の柱材３０、３１への固定は、内壁パネル２１、２０、２２の面材２１２、２０１、２２２が段差なく接合された後に固定部材１０、１０を当接面３０１、３１１に位置決めして固定釘４５、４５で固定される。
【００３２】
このように、固定部材１０、１０によって、内壁パネル２１、２０、２２は段差なく柱材３０、３１に取り付けることができるようになされている。
【００３３】
図２は、一枚物の内壁パネル２３の段差のある柱材３０、３１への取付方法を示している。内壁パネル２３は枠材２３１、２３２で枠組され、一外面に面材２３３を貼着して形成されている。
【００３４】
壁面内部に配管を施工をする際に、面材２３３を後貼りするようになされている。そのため下地になる枠材を一部省略することができる。
【００３５】
固定部材１０、１０は内壁パネル２３の枠材２３１、２３２に一端を固定釘３２で固定して、他端を面材２３３と直交する柱材３０、３１の当接面３０１、３１１に摺動自在に当接している。柱材３０と３１とには面材２３３に対向する外面３０２、３１２に建物の設置誤差によって、段差が生じている。
【００３６】
そのため、固定部材１０、１０の柱材３０、３１への固定位置は、面材２３３に急激な傾斜が生じないように内壁面を平滑に設定した後、位置決めして、固定釘４５、４５で固定される。このような固定のため、柱材３０、３１の段差の影響を受けずに内壁パネル２３を平滑の取り付けることができる。
【００３７】
図３〜図５は、本発明の請求項３に係る固定部材を用いて間柱に当接する内壁パネルの取付方法を示す別の実施例を示す断面図である。
図３〜図５に示すように、建物ユニットの内壁を形成する内壁パネル２４、２５、２６、２７が、固定部材１１、１２、１３を介して断面略コ字状の間柱３４に保持されている。
【００３８】
固定部材１１、１２、１３は断面略矩形体で形成され、固定部材１１、１２、１３の一面は、隣接する内壁パネル２４と２５、２６と２７同士の端部枠材２４２と２５２、２６２と２７２にそれぞれ固定されている。
【００３９】
固定部材１１、１２、１３は、内壁パネル２４、２５、２６、２７と固定された後に、固定部材１１、１２、１３が前記間柱３４のコ字状内面に保持されるようになされている。
【００４０】
図３に示すように、固定部材１１は断面略矩形体の木質用構造材で形成されている。固定部材１１の外形は枠材２４２、２５２に当接でき、間柱３４のコ字状内面に挿入できる外形寸法になされている。
【００４１】
固定部材１１は内壁パネル２４と２５に固定され、間柱３４とは挿入されるのみで間柱３４に直接固定されていない。そのため、内壁パネル２４、２５は間柱３４の建て付け精度によって、内壁パネル２４、２５の建て付けに影響がでることはない。尚、内壁パネル２４、２５は上下の建物ユニットの天井梁、床梁に例えば、レール等を介してそれぞれ固定されている。
【００４２】
固定部材１１は建物に間柱３４が取り付けられた状態で間柱３４のコ字状内面に挿入される。このとき固定部材１１は間柱に固定せず、前後に移動可能に保持される。そこへ内壁パネル２４、２５を建て掛け、内壁パネル２４、２５と固定部材１１とを押し付けた状態で固定する。
【００４３】
間柱３４は断面形状がコ字状になされた軽量鋼材で形成され、一外面に外壁５０を固定して、上下端部を建物ユニットの屋根梁、床梁（不図示）に締結されている。
【００４４】
図４に示すように、固定部材１２は断面略矩形体の木質用構造材で形成されている。固定部材１２の外形は枠材２４２、２５２に当接でき、間柱３４のコ字状内面に挿入できる外形寸法になされている。
【００４５】
固定部材１２は内壁パネル２４と２５に固定され、間柱３４とは挿入されるのみで間柱３４に直接固定されていない。そのため、内壁パネル２４、２５は間柱３４の建て付け精度によって、内壁パネル２４、２５の建て付けに影響がでることはない。間柱３４と固定部材１２との間には断熱材４０が充填されている。
【００４６】
間柱３４と固定部材１２との間の隙間は断熱材４０で埋められ、断熱材４０が緩衝材の役目を果して、内装パネル２４、２５と間柱３４とがガタ付くようなことはない。又、断熱材４０の代わりにゴム質の弾性体を用いることもできる。
【００４７】
図５に示すように、固定部材１３は断面略矩形体の木質用構造材で形成されている。固定部材１３の外形は枠材２６２、２７２に当接でき、間柱３４のコ字状内面に挿入できる外形寸法になされている。
【００４８】
固定部材１３は内壁パネル２６と２７に固定具４１、４１と固定釘４８、４８で連結固定されている。枠材２６２と２７２とは固定具４１、４１を係止できるように側面に切り欠き溝２６３、２７３が設けられている。
【００４９】
固定具４１、４１の一端はフック状になされ、枠材２６２と２７２の切り欠き溝２６３、２７３に係止できるようになされている。固定具４１、４１の他端は固定釘４８、４８で固定材１３の側面に固定されている。固定具４１、４１を用いることによって、容易に固定部材１３を枠材２６２と２７２に固定することができる。
【００５０】
固定部材１３は、間柱３４とは挿入されるのみで、間柱３４に直接固定されていない。そのため、内壁パネル２６、２７は間柱３４の建て付け精度によって、内壁パネル２６、２７の建て付けに影響がでることはない。
【００５１】
本発明の内壁パネル２１、２２、２３、２４、２５、２６、２７の取付方法は、ユニット建物に用いられている。
【００５２】
ユニット建物は方形の四隅に立設された柱に対し、天井梁を上部に、床梁を下部に架け渡して箱型の構造体に枠組みして形成されている。
【００５３】
内壁パネル２１、２２、２３、２４、２５、２６、２７を取り付ける場所には、不図示の天井梁と床梁との間に間柱３４が取り付けられ、この間柱３４の屋外側に外壁パネル５０が、又、屋内側に内壁パネル２１、２２、２３、２４、２５、２６、２７がそれぞれ取付けられている。この内壁パネル２１、２２、２３、２４、２５、２６、２７と外壁パネル５０との間に断熱材が充填されている。
【００５４】
この様に、本発明の内壁パネルの取付方法は、建物の内壁を形成する３枚の内壁パネル２０、２１、２２を端部で連結すると共に、固定部材１０、１０を介して２本の柱材３０、３１に固定する内壁パネルの取付方法であって、両側部の内壁パネル２１、２２の一枠材２１１、２２１の側面にそれぞれ前記固定部材１０、１０の一端を取り付けると共に、各固定部材１０の他端を対応する柱材３０、３１の前記各内壁パネル２０、２１、２２の面材２１２、２０１、２２２と直交する当接面３０１、３１１に摺動自在に当接させておき、両側部の内壁パネル２１、２２の間に繋ぎ用の内壁パネル２０を取付け、３枚の内壁パネル２１、２０、２２の面材２１２、２０１、２２２が段差なく接合された後に、前記両固定部材１０、１０を柱材３０、３１の当接面３０１、３１１に位置決めして固定するようにしているので、柱材３０、３１間に段差が生じても柱材３０、３１間の段差を簡単に吸収し、綺麗に仕上げることが可能である。又、固定部材１０に耐熱性の材料を用いた場合には、柱材３０、３１間の耐熱性能を向上させることもできる。
又、本発明の内壁パネルの取付方法は、建物の内壁を形成する内壁パネル２３を、間隔を有して設けられた２つの枠材２３２、２３１と、固定部材１０、１０とを介して２本の柱材３０、３１に固定する内壁パネルの取付方法であって、各枠材２３２、２３１の側面にそれぞれ前記固定部材１０、１０の一端を取り付けると共に、各固定部材１０の他端を対応する柱材３０、３１の前記各内壁パネルの面材と直交する当接面３０１、３１１に摺動自在に当接させておき、中間の枠材を省略して両枠材２３２、２３１の間に一枚物の面材２３３を後貼りし、内壁面を平滑に設定した後に、前記両固定部材１０、１０を柱材３０、３１の当接面３０１、３１１に位置決めして固定するようにしているので、柱材３０、３１間に段差が生じても柱材３０、３１間の段差を簡単に吸収し、綺麗に仕上げることが可能である。又、固定部材１０に耐熱性の材料を用いた場合には、柱材３０、３１間の耐熱性能を向上させることもできる。
【００５５】
又、本発明の内壁パネル２４、２５、２６、２７の取付方法は、前記間柱３４のコ字状内面に、断面略矩形体とした前記固定部材１１、１２、１３を前後に移動可能に挿入保持しておき、隣接する内壁パネル２４、２５、２６、２７同士の端部枠材２４２、２５２、２６２、２７２と、前記固定部材１１、１２、１３の一面とを押し付けた状態で固定する
ことにより、固定部材１１、１２、１３を前記間柱３４に直接固定せずに保持させるようにしているので、内壁パネル２４、２５、２６、２７は間柱３４の建て付け精度の影響を受けず、内壁パネル２４、２５、２６、２７間に段差のない取付けをすることができる。更に、内壁パネル２４、２５、２６、２７に特別の加工を施すことなく、素早く組み立てることができる。
【００５６】
又、本発明のユニット建物には、上記した内壁パネル２１〜２７の取付方法が用いられているので、面精度のよい内壁パネル２１〜２７を有するユニット建物を得ることができる。
【００５７】
【発明の効果】
請求項１記載の本発明の内壁パネルの取付方法は、建物の内壁を形成する３枚の内壁パネルを端部で連結すると共に、固定部材を介して２本の柱材に固定する内壁パネルの取付方法であって、両側部の内壁パネルの一枠材の側面にそれぞれ前記固定部材の一端を取り付けると共に、各固定部材の他端を対応する柱材の前記各内壁パネルの面材と直交する当接面に摺動自在に当接させておき、両側部の内壁パネルの間に繋ぎ用の内壁パネルを取付け、３枚の内壁パネルの面材が段差なく接合された後に、前記両固定部材を柱材の当接面に位置決めして固定するようにしているので、柱材間に段差が生じても柱材間の段差を簡単に吸収し、綺麗に仕上げることが可能である。又、固定部材に耐熱性の材料を用いた場合には、柱材間の耐熱性能を向上させることもできる。
また、請求項２記載の本発明の内壁パネルの取付方法は、建物の内壁を形成する内壁パネルを、間隔を有して設けられた２つの枠材と、固定部材とを介して２本の柱材に固定する内壁パネルの取付方法であって、各枠材の側面にそれぞれ前記固定部材の一端を取り付けると共に、各固定部材の他端を対応する柱材の前記各内壁パネルの面材と直交する当接面に摺動自在に当接させておき、中間の枠材を省略して両枠材の間に一枚物の面材を後貼りし、内壁面を平滑に設定した後に、前記両固定部材を柱材の当接面に位置決めして固定するようにしているので、柱材間に段差が生じても柱材間の段差を簡単に吸収し、綺麗に仕上げることが可能である。又、固定部材に耐熱性の材料を用いた場合には、柱材間の耐熱性能を向上させることもできる。
【００５８】
請求項３記載の本発明の内壁パネルの取付方法は、建物の内壁を形成する内壁パネルを、固定部材を介して断面略コ字状の間柱に保持させる内壁パネルの取付方法であって、前記間柱のコ字状内面に、断面略矩形体とした前記固定部材を前後に移動可能に挿入保持しておき、隣接する内壁パネル同士の端部枠材と、前記固定部材の一面とを押し付けた状態で固定することにより、固定部材を前記間柱に直接固定せずに保持させるようにしているので、内壁パネルは間柱の建て付け精度の影響を受けず、内壁パネル間に段差のない取付けとすることができる。更に、内壁パネルに特別の加工を施すことなく、素早く組み立てることができる。
【００５９】
請求項４記載の本発明のユニット建物は、請求項１乃至３のいずれか１項記載の内壁パネルの取付方法が用いられているので、面精度のよい内壁パネルを有するユニット建物を得ることができる。
【図面の簡単な説明】
【図１】  本発明の固定部材を用いた柱間の内壁パネルの取付方法を示す断面図である。
【図２】  本発明の固定部材を用いた柱間の内壁パネルの取付方法を示す断面図である。
【図３】  本発明の固定部材を用いて間柱に当接する状態を示す断面図である。
【図４】  本発明の固定部材を用いて間柱に当接する状態を示す断面図である。
【図５】  本発明の固定部材を用いて間柱に当接する状態を示す断面図である。
【符号の説明】
１０                    固定部材
２０                    内壁パネル
２０１                  面材
２０２                  枠材
２０３                  枠材
２１                    内壁パネル
２１１                  枠材
２１２                  面材
２２                    内壁パネル
２２１                  枠材
２２２                  面材
２３                    内壁パネル
２３１                  枠材
２３２                  枠材
３０、３１              柱材
３０１、３１１          当接面
３４                    間柱
【図１】
0003715852.tif 000002
【図２】
0003715852.tif 000003
【図３】
0003715852.tif 000004
【図４】
0003715852.tif 000005
【図５】
0003715852.tif 000006